(57)【要約】【課題】携帯電話とＩＰ電話とを接続する法人・団体での利用に適した通話システムを提供する。【解決手段】メール受信機能及びブラウザ機能を持つ携帯電話とＩＰ電話とを接続する管理センターと、管理センターに接続して各種手続きを行う法人・団体のクライアント端末とで構成され、管理センターは、クライアント端末及び携帯電話と情報の授受を行うＷｅｂサーバと、法人・団体を特定する情報と携帯電話の利用者情報と固定電話への接続先情報とを登録・保存するデータベースと、携帯電話に管理センターへのＵＲＬリンクを記載した電子メールを送信する手段と、ＩＰ電話への接続先情報を含む電話帳を掲載したＷｅｂページを携帯電話に送信する手段と、携帯電話から送信されてきた通話先への接続先情報に基づいて携帯電話とＩＰ電話との呼制御を行うセッション管理手段と、携帯電話とＩＰ電話との通話に伴う課金情報を管理する手段とを有するものである。【選択図】          図１
2004356907.tif 000002
【特許請求の範囲】
【請求項１】
携帯電話と固定電話とをセンターからの呼制御により接続して相互の通話を行うコンピュータシステムであって、
携帯電話網に接続された電子メール送受信機能及びＷｅｂブラウザを有する携帯電話と、
ＩＰ電話網に接続された固定電話と、
前記携帯電話と前記固定電話とを前記それぞれの通信網を介して接続する管理センターと、
前記管理センターと広域通信網を介して接続し前記携帯電話の利用に伴う各種手続きを行う法人・団体のクライアント端末とで構成され、
前記管理センターは、前記クライアント端末及び前記携帯電話と情報の授受を行うためのＷｅｂサーバと、
前記携帯電話の利用を希望する法人・団体を特定するクライアント情報と前記携帯電話を特定する情報及び携帯電話の利用条件を含む利用者情報と通話先の前記固定電話を特定するための接続先情報とを登録・保存するデータベースと、
前記携帯電話に前記管理センターへのＵＲＬリンクを記載したハーパーテキストを含む電子メールを送信するメール送信手段と、
前記携帯電話からの電子メールを受信し前記携帯電話の利用条件を満たした場合に予め編集された前記通話先への接続情報を含む電話帳を掲載したＷｅｂページを前記携帯電話に送信するフォーム送信手段と、
前記携帯電話のＷｅｂブラウザを介して送信され管理センターで受信した通話先への前記接続情報に基づいて前記携帯電話と前記固定電話との接続に伴う呼制御を行うセッション管理手段と、
前記携帯電話と前記固定電話との通話に伴う課金情報を管理する課金管理手段とを有することを特徴とする通話システム。
【請求項２】
前記管理センターは、前記Ｗｅｂサーバを介して前記クライアント端末からの要求に応答し、前記クライアントが利用を希望する個々の携帯電話を特定する電話番号と携帯電話の使用期間とを少なくとも含む利用者情報と、通話先の前記固定電話を特定する電話番号を少なくとも含む前記接続先情報とを前記クライアント情報と共に前記データベースに登録し、課金の際の与信を含む利用条件を満たした場合に携帯電話の利用を許可し、前記データベースに登録された当該登録情報及び登録された携帯電話の利用可否情報を前記クライアント端末から前記Ｗｅｂサーバを介して参照可能なＷｅｂページを生成することを特徴とする請求項１に記載の通話システム。
【請求項３】
前記メール送信手段で送信される前記携帯電話への電子メールのＵＲＬリンク情報には、前記データベースに保存された前記利用者情報の特定が可能な当該携帯電話を特定するユニークな利用者識別情報を含むことを特徴とする請求項１に記載の通話システム。
【請求項４】
前記フォーム送信手段で送信されるＷｅｂページは、少なくとも、索引検索により複数の通話先の中から一つの通話先を選択可能な第１のメニューと、一つの通話先を直接指定する第２のメニューと、リスト検索により複数の通話先の中から一つの通話先を指定可能な第３のメニューとからなることを特徴とする請求項１に記載の通話システム。
【請求項５】
前記第２のメニューは、少なくとも、通話先番号、通話先名称、及びカタカナ又はひらがなによる通話先名称の読みからなり、前記第１のメニュー及び／又は第３のメニューに含まれる複数の通話先の一つとして登録可能であることを特徴とする請求項４に記載の通話システム。
【請求項６】
前記フォーム送信手段で送信されるＷｅｂページには、利用者の携帯電話内に登録された電話帳データを呼出し通話先として指定可能な第４のメニューが含まれることを特徴とする請求項１に記載の通話システム。
【請求項７】
前記携帯電話は、前記第３のメニューを通話先の接続先情報を記載したハイパーテキストによる画面メモとして保存することが可能であり、保存した画面に表示された通話先を指定することによって該通話先に接続するように構成されていることを特徴とする請求項４に記載の通話システム。
【請求項８】
前記管理センターは、前記携帯電話網で使用される第１の音声符号と前記ＩＰ電話網で使用される第２の音声符号とを相互に変換するか、または前記携帯電話網と前記ＩＰ電話網とで変換され符号化された共通の方式による音声符号を介して相互に中継する音声符号化変換中継手段を有することを特徴とする請求項１に記載の通話システム。
【発明の詳細な説明】
【０００１】
【発明の属する技術分野】
本発明は、携帯電話とＩＰ電話とをセンターからの呼制御により接続して相互の通話を行うコンピュータシステムに関し、詳しくは携帯電話に送信されたＷｅｂページから通話先を指定することで指定された通話先との接続をセンターからのコールバックにより行う通話システムに関するものである。
【０００２】
【従来の技術】
近年、ＡＳＰ（Ａｐｐｌｉｃａｔｉｏｎ  Ｓｅｒｖｉｃｅ  Ｐｒｏｖｉｄｅｒ）方式により、Ｗｅｂ上において登録グループ内でスケジュールを共有し、また電話帳や住所録等のへのアクセスができるグループウェアと称されるサービスが普及してきている。携帯電話においても殆どの機種がＷｅｂブラウザを搭載するようになり、さらに携帯電話用のコンパクトＨＴＭＬ（Ｈｙｐｅｒ  Ｔｅｘｔ  Ｍａｒｋｕｐ  Ｌａｎｇｕａｇｅ）の標準化等に伴いどの事業者からもアクセス可能なＷｅｂページを作成できるようになってきたことから、携帯電話でのスケジュール、電話帳、住所録等の共有も普及しつつある。このような電話帳の共有方法や電話帳のデータ登録・参照方法は特許文献１等にみられる。
こうした携帯電話の利用形態を企業の社員や団体の職員に適用することは、顧客用の電話帳、社内用の電話帳、というように必要な部署に必要な情報を提供するという面に加えて、常に新しい情報を提供することができて便利である。
【０００３】
一方、携帯電話を企業の社員や団体の職員が使用するにあたって、私用と公用を区別して課金することが難しいという問題があり、その解決方法としてコールバックにより通話先と接続する方法がある。
コールバックとは異なるが、携帯電話の利用者が料金を負担しないようにするためには、例えば携帯電話からコールセンターに電話をかける場合等、携帯電話用のフリーダイヤルサービスも提供されている。但し、今のところサービスの利用料金が高額で利用者に負担させる例もあり、あまり普及していない。
このような背景から携帯電話の利用者へ無料或いは低額料金の通話を提供するために、予め使用回線を安く借り受けて、コールバックにより通話先と接続するシステムが登場している。このようなコールバック装置は特許文献２等にみられる。
【０００４】
【特許文献１】
特開２００３−６９６９２号公報
【特許文献２】
特開２００２−２０９２３９号公報
【０００５】
【発明が解決しようとする課題】
しかしながら、Ｗｅｂ上の電話帳を例に挙げれば、従来の方法では、電話帳のページを参照したか否かのアクセス履歴をとることは可能であるが、どこに電話したかを特定することは困難であり、個人使用と公用との区別ができないことから課金管理の面で問題があった。
そこで、本発明は、通話先に低額な料金設定が可能なＩＰ電話網を利用し、予め登録された法人・団体の社員・職員が使用する携帯電話からのみ利用可能な電話帳をＷｅｂ上で提供し、この電話帳に掲載された通話先を携帯電話のＷｅｂブラウザ上から指定することで、公用と私用の区別をした課金管理が可能なコールバックによる通話システムを提供することを目的としている。
【０００６】
【課題を解決するための手段】
上記目的を達成するため、請求項１に記載の発明は、携帯電話と固定電話とをセンターからの呼制御により接続して相互の通話を行うコンピュータシステムであって、携帯電話網に接続された電子メール送受信機能及びＷｅｂブラウザを有する携帯電話と、ＩＰ電話網に接続された固定電話と、前記携帯電話と前記固定電話とを前記それぞれの通信網を介して接続する管理センターと、前記管理センターと広域通信網を介して接続し前記携帯電話の利用に伴う各種手続きを行う法人・団体のクライアント端末とで構成され、
前記管理センターは、前記クライアント端末及び前記携帯電話と情報の授受を行うためのＷｅｂサーバと、前記携帯電話の利用を希望する法人・団体を特定するクライアント情報と前記携帯電話を特定する情報及び携帯電話の利用条件を含む利用者情報と通話先の前記固定電話を特定するための接続先情報とを登録・保存するデータベースと、前記携帯電話に前記管理センターへのＵＲＬリンクを記載したハーパーテキストを含む電子メールを送信するメール送信手段と、前記携帯電話からの電子メールを受信し前記携帯電話の利用条件を満たした場合に予め編集された通話先への接続情報を含む電話帳を掲載したＷｅｂページを前記携帯電話に送信するフォーム送信手段と、前記携帯電話のＷｅｂブラウザを介して送信され管理センターで受信した通話先への前記接続情報に基づいて前記携帯電話と前記固定電話との接続に伴う呼制御を行うセッション管理手段と、前記携帯電話と前記固定電話との通話に伴う課金情報を管理する課金管理手段とを有することを特徴としている。
【０００７】
また、請求項２に記載の前記管理センターは、前記Ｗｅｂサーバを介して前記クライアント端末からの要求に応答し、前記クライアントが利用を希望する個々の携帯電話を特定する電話番号と携帯電話の使用期間とを少なくとも含む利用者情報と、通話先の前記固定電話を特定する電話番号を少なくとも含む前記接続先情報とを前記クライアント情報と共に前記データベースに登録し、課金の際の与信を含む利用条件を満たした場合に携帯電話の利用を許可し、前記データベースに登録された当該登録情報及び登録された携帯電話の利用可否情報を前記クライアント端末から前記Ｗｅｂサーバを介して参照可能なＷｅｂページを生成することを特徴としている。
また、請求項３に記載の前記メール送信手段で送信される前記携帯電話への電子メールのＵＲＬリンク情報には、前記データベースに保存された前記利用者情報の特定が可能な当該携帯電話を特定するユニークな利用者識別情報を含むことを特徴としている。
また、請求項４に記載の前記フォーム送信手段で送信されるＷｅｂページは、少なくとも、索引検索により複数の通話先の中から一つの通話先を選択可能な第１のメニューと、一つの通話先を直接指定する第２のメニューと、リスト検索により複数の通話先の中から一つの通話先を指定可能な第３のメニューとからなることを特徴としている。
また、請求項５に記載の前記第２のメニューは、少なくとも、通話先番号、通話先名称、及びカタカナ又はひらがなによる通話先名称の読みからなり、前記第１のメニュー及び／又は第３のメニューに含まれる複数の通話先の一つとして登録可能であることを特徴としている。
また、請求項６に記載の前記フォーム送信手段で送信されるＷｅｂページには、利用者の携帯電話内に登録された電話帳データを呼出し通話先として指定可能な第４のメニューが含まれることを特徴としている。
また、請求項７に記載の前記第３のメニューを通話先の接続先情報を記載したハイパーテキストによる画面メモとして保存することが可能であり、保存した画面に表示された通話先を指定することによって該通話先に接続するように構成されていることを特徴としている。
また、請求項８に記載の前記管理センターは、前記携帯電話網で使用される第１の音声符号と前記ＩＰ電話網で使用される第２の音声符号とを相互に変換するか、または前記携帯電話網と前記ＩＰ電話網とで変換され符号化された共通の方式による音声符号を介して相互に中継する音声符号化変換中継手段を有することを特徴としている。
【０００８】
【発明の実施の形態】
以下、本発明の実施の形態について図を参照して説明する。
図１は、本実施の形態に係る通話システムの概略構成を示す図である。
図１の構成に示すように、本実施の形態の通話システムは、携帯電話網６に接続された携帯電話３とＩＰ（Ｉｎｔｅｒｎｅｔ  Ｐｒｏｔｏｃｏｌ）電話網７に接続されたＩＰ電話機４との相互通話を管理センター１によって呼制御するもので、法人や団体のクライアント端末２から管理センター１に登録することによって法人の社員や団体の職員が使用する携帯電話３の利用を一括管理しようとするものである。
【０００９】
ＩＰ電話はＲＴＰ（リアルタイム転送プロトコル）を使用したＶｏＩＰ（Ｖｏｉｃｅ  ｏｖｅｒ  Ｉｎｔｅｒｎｅｔ  Ｐｒｏｔｏｃｏｌ）技術により符号化した音声データの電送を行うもので、ＩＴＵ−Ｔ勧告のＨ．３２３やＳＩＰ（Ｓｅｓｓｉｏｎ  Ｉｎｉｔｉａｔｉｏｎ  Ｐｒｏｔｏｃｏｌ）の通信プロトコルが用いられ、低額なサービスを提供できることからＰＳＴＮ（一般公衆回線網）に代わって普及しつつある。ＩＰ電話網７の交換機には、フルＩＰ化に対応できて且つ回線交換型の音声品質を維持することができるＩＰ−ＰＢＸ（構内交換機）の使用が増えてきている。また、ＩＰ電話機４は一般のアナログ電話機にＶｏＩＰゲートウェイ装置を組み込んだもので、音声情報のＩＰパケット化と、通信相手を見つけることや呼出し中の情報伝達等、ＩＰ電話に関する制御用通信機能を備えている。
本実施の携帯ではＩＰ電話網７との接続にはＩＰ電話機４を用いているが、ＶｏＩＰゲートウェイ装置と一般のアナログ固定電話とで構成しても良い。なお、携帯電話３と接続するＩＰ電話の音声符号にはできるだけ遅延が少ない方式を使用することが望ましい。
【００１０】
図１を参照して通話先の電話帳の登録から携帯電話３から電話帳へアクセスするまでの登録手順について簡単に説明する。
本通話システムの携帯電話３の利用を希望する法人や団体は、法人や団体が所有するクライアント端末２からインターネット５を介して管理センター１にアクセスし、利用条件に基づきＩＤやパスワードを取得して、法人の社員や団体の職員が使用する携帯電話３及び通話先と本通話システムの利用期間や支払い方法等を登録する（Ｓ１）。管理センター１は、与信等を確認し利用条件を満たしたと判断したら、クライアント端末２に利用許可情報を送信する（Ｓ２）。
続いて、管理センター１は、登録された通話先にアクセスするための電話帳フォームのＵＲＬ（Ｕｎｉｆｏｒｍ  Ｒｅｓｏｕｒｃｅ  Ｌｏｃａｔｏｒ）リンク先が記載されたハイパーテキストを含む電子メールを、使用を許可した携帯電話３それぞれに送信する（Ｓ３）。
電子メールを受信した携帯電話３の利用者は電子メールに記載されたＵＲＬリンクをキー操作により指定する（Ｓ４）。ＵＲＬにより指定されたリンク先の管理センター１はリンク情報に基づき、この携帯電話３用に登録された電話帳フォームを送信する。
【００１１】
図２は、図１に示す通話システムの構成図である。
１は、インターネット５を介し法人や団体のクライアント端末２から社員や職員が使用する携帯電話３や通話先の電話帳の登録を受け付け、携帯電話網６に接続された携帯電話３とＩＰ電話網７に接続されたＩＰ電話機４との通話接続を行うための呼制御を行う管理センターである。なお、携帯電話網６或いはＩＰ電話網７と管理センター１とは、携帯電話事業者やＩＰ電話事業者が提供する更に別の通信網を介して接続することもある。
【００１２】
８は、クライアント端末２とインターネット５及びＷｅｂを介して各種登録等に伴う情報の授受を行い、また携帯電話網６を介して携帯電話３にＷｅｂページを送信して電話帳等の情報の授受を行うＷｅｂサーバである。９はメールサーバで、更新情報やメインテナンス情報等をクライアント端末２に配信する他、登録された各携帯電話３に対して通話先の電話帳にアクセスするための電子メールを、メール送信手段１０を介して送信する。メール送信手段１０では、管理センター及び電話帳を掲載したＷｅｂフォームと送信先の携帯電話３を特定する固有の識別情報を含むＵＲＬを生成し、このＵＲＬリンクを記載したハイパーテキストを含む電子メールを送信する。１１はフォーム生成手段で、クライアント端末２から登録され携帯電話３から発信可能な通話先への接続情報を含む電話帳のＷｅｂページを生成する。
【００１３】
１２はセッション管理手段で、携帯電話３と通話先のＩＰ電話機４との呼接続及び呼切断等の通話のための呼制御を行う。１３は音声符号変換中継手段で、ＡＲＩＢ  ＳＴＤ−２７で策定されたＣＥＬＰ（符号励振型線形予測）等の携帯電話３の音声符号と、ＩＴＵ−Ｔ  Ｇ．７２３．１やＧ７２９  Ａｎｎｅｘ  Ａで勧告されているＣＥＬＰ等のＩＰ電話機４の音声符号とのそれぞれ異なる音声符号を直接変換するか、或いはＩＳＤＮ（Ｉｎｔｅｇｒａｔｅｄ  Ｓｅｒｖｉｃｅｓ  Ｄｉｇｉｔａｌ  Ｎｅｔｗｏｒｋ）で変換されたＧ．７１１の対数圧伸ＰＣＭ（パルス符号変調）等を介して携帯電話とＩＰ電話との相互の音声を中継する。
【００１４】
１４はクライアント管理手段で、本通話システムの携帯電話３を利用するクライアント情報を登録・管理する。１５はユーザ管理手段で、携帯電話及び携帯電話を使用する各個別ユーザを登録・管理する。１６は電話帳管理手段で、クライアント端末２から送信された通話先情報を基にクライアント毎に電話帳を作成・登録して管理する。１７はスケジュール管理手段で、クライアント毎の携帯電話の利用期間や累積通話時間等を管理する。１８は課金管理手段で、セッション管理手段１２と連携して携帯電話それぞれについて呼接続に伴う課金を管理する。１９はＷｅｂサーバ８、メールサーバ９、及び上記各手段１０〜１８とで必要とする情報のデータベース２０間とのアクセスを司るデータベースサーバである。
【００１５】
なお、管理センター１内のＷｅｂサーバ８、メールサーバ９、データベースサーバ１９、及び、クライアント端末２等は、ワークステーションや市販のＰＣ（パーソナルコンピュータ）等で構成され、通話システムを構成する各手段は、これらワークステーションやＰＣを利用したソフトウェア処理により実現されているもので、ワークステーションやＰＣ等を構成するＣＰＵ（中央制御装置）、メモリやハードディスク等の記憶装置、画像やテキスト等を表示する表示装置、キーボードやマウス等の入力装置、通信回線との入出力装置、及び音声コーデック等の専用機器や周辺機器類等に関する説明及びその構成図面は省略する。
【００１６】
次に動作について、図３のフローチャートを参照しながらユーザ登録から通話までの全体の処理手順に沿って説明する。
本通話システムの利用を希望する法人又は団体の担当者は、図１又は図２に示す法人又は団体が所有するクライアント端末２上のＷｅｂブラウザからインターネット５を介して管理センター１のＷｅｂサーバ８にアクセスし、利用条件に基づき、法人名、住所、電話番号、Ｅメールアドレス等のクライアントを特定する情報を決済口座等と共に登録してＩＤやパスワード等を取得する（Ｓ１０）。
ＩＤ及びパスワードを取得した法人又は団体は、クライアント端末２からＷｅｂサーバ８にアクセスし、本通話システム利用の支払い方法、使用期間、累積通話可能時間、使用する各携帯電話の電話番号と携帯メールアドレス、通話先の接続先情報、後述する図５に示す発信メニューのＷｅｂフォームに掲載するワンタッチダイヤル候補、選択リスト候補等の登録申し込みをする（Ｓ１１）。
【００１７】
管理センター１は、クライアント端末２から送信されたクライアント及び携帯電話を特定する情報と通話先情報とをインターネット５及びＷｅｂサーバ８を介して受信し、クライアント管理手段１４及びユーザ管理手段１５によって、クライアント毎に区別しデータベースサーバ１９を介してデータベース２０に登録・保存する。通話先情報は電話帳管理手段１６によって、電話帳データとして携帯電話３に送信するＷｅｂフォームに掲載される通話先への発信方法に関する情報と共に保存される。管理センター１はクライアント端末２から送信された情報から、利用期間・与信等の利用条件を満たした場合にクライアント端末２に本通話システムの利用許可を通知する（Ｓ１２）。
クライアント端末２からは、管理センター１の電話帳に登録した通話先のリストや発信メニューなどの閲覧・編集が可能で、携帯電話の利用可能期間や携帯電話それぞれの累積通話時間、使用可否等の情報を見ることができる。
【００１８】
管理センター１は、クライアント端末２に利用許可情報を送信すると共に、登録された各携帯電話３に管理センター１のＷｅｂサーバ８へアクセスするＵＲＬリンクが記載されたハイパーテキストを含む電子メールをメール送信手段１０により生成しメールサーバ９を介して送信する（Ｓ１３）。
電子メールのＵＲＬリンク情報には、図４に示すように、管理センター１のＷｅｂサーバのアドレスと共に引数として、携帯電話３毎にユニークな利用者識別情報と、該当する電話帳を呼出すためのデータベースタグが含まれている。ｈｔｔｐ：ｗｗｗ．ｒｏｂｉｎｈｏｏｄ．ｃｏｍ／がＷｅｂサーバ８のアドレスで、以降のｕｓｅｒｓ／ｆｏｒｍ．ａｓｐが電話帳発信メニューのＷｅｂフォームを呼出すディレクトリを示しており、？ＵＩＤ＝以降に利用者識別符号と対応するデータベース内の該当する電話帳を呼出すためのタグとが含まれている。？ＵＩＤ＝以降の識別符号とタグ情報は暗号化されて送信される。
【００１９】
管理センター１から送られた電子メールには携帯電話側で予め行うセットアップ事項が記載されており、携帯電話３の利用者が説明通りにセットアップした後、受信した電子メールに記載されたＵＲＬのリンク先にアクセスすると、このＵＲＬリンク情報に基づいて管理センター１は電話帳管理手段１６によりＷｅｂフォームを生成しＷｅｂサーバ８を介してこのＷｅｂフォームを送信する。
携帯電話３の利用者は、受信したＷｅｂフォームを、管理センター１を介して通話先に接続するためのリンク情報を有するハイパーテキストによる画面メモとして保存する（Ｓ１４）。画面メモとして保存することにより、実際に通話するまで管理センター１にはアクセスしないですむ。
【００２０】
Ｗｅｂフォームは、図５に示すような発信メニュー４０と、発信メニューから選択する各電話帳フォーム４１〜４３とで構成され、あ〜わ及びａｂｃから通話先の検索が可能な（１）選択発信フォーム４１、通話先の番号を指定する（２）入力発信フォーム４２、表示リストから選択して発信する（３）ワンタッチダイヤルフォーム４３が用意されている。
【００２１】
図５に示す発信メニュー画面４０からはテンキー「１」の押下によって（１）選択発信画面４１に、「２」の押下で（２）入力発信画面４２に、「３」の押下で（３）ワンタッチダイヤル画面４３に移る。（＊）Ｑｕｉｃｋは、「＊」を押下することで携帯電話３内に登録された電話帳データを呼出し、管理センター１に通知してセンターからの呼接続（コールバック）により通話するためのものである。
【００２２】
（１）選択発信画面４１では、あ〜わ及びａｂｃから通話先名の検索が可能で、さらにチェックボックスに割り当てられた通話先を直接呼出して電話をすることも可能である。
（２）入力発信画面４２では、通話先の番号、名前、読みを入力し、［発信（＃）Ｇｏ］に割り当てられたキーの押下で、入力された情報が管理センター１に送信されて通話が開始されると共に、リスト追加のチェックボックスにチェックすることで、管理センター１の電話帳データとしてデータベースに追加・登録され、（１）選択発信フォーム４１や（３）ワンタッチダイヤルフォーム４３での利用が可能になる。
図６（ａ）は、携帯電話３のＷｅｂブラウザによって（２）入力発信画面４２を表示するＷｅｂフォームのＨＴＭＬ文を示しており、＜ｆｏｒｍ…＞〜＜／ｆｏｒｍ＞間のｉｎｐｕｔ文で指定される情報が管理センターに送られる。送られる情報の処理先はａｃｔｉｏｎ＝“ｃａｌｌ．ａｓｐ”のように記述する。携帯電話３を特定する情報はｉｎｐｕｔ  ｔｙｐｅ＝“ｈｉｄｄｅｎ”で記述しており、直接携帯電話３の番号でも良いが、予め管理センター１に登録した携帯電話３を特定する識別符号を用い、更に管理センター１に送られる情報は暗号化することが望ましい。
（３）ワンタッチダイヤル画面４３では、表示されたリストの中から通話先に対応して直接つけられた番号のキーの押下、又はラジオボタンをチェックして［発信（＃）Ｇｏ］に割り当てられたキーの押下によって通話先を呼出す。
【００２３】
画面メモによって携帯電話３に保存したＷｅｂフォームの更新情報は、管理センター１からの電子メールによって通知されるので、携帯電話３の利用者は、更新情報に基づき画面メモも更新する。図６（ｂ）は携帯電話３から直接Ｗｅｂフォームを要求する機能を追加したもので、図５の発信メニュー４０の「発信メニュー」の文字列に管理センター１へのＵＲＬリンクを埋め込んだ一例である。「０」キーの押下により管理センター１に接続し、管理センター１から新しいＷｅｂフォームが送られて発信メニュー４０自身も更新される。
なお、従来からあるＷｅｂ上の電話帳は＜ａ  ｈｒｅｆ＝“ｔｅｌ：ｘｘｘｘｘｘｘｘｘｘｘ”＞相手の電話＜／ａ＞のような記載のＨＴＭＬタグが用いられており、電話帳を表示した携帯電話から直接相手に発呼するものである。
【００２４】
図３に戻り、携帯電話３の利用者は上記Ｗｅｂフォームの発信メニューから通話希望の相手先を選択し該当するキーの押下等によりＷｅｂフォームに記載された接続先情報等を管理センター１に送信する（Ｓ１５）。
管理センター１のＷｅｂサーバ８は、ＣＧＩ（Ｃｏｍｍｏｎ  ＧａｔｅｗａｙＩｎｔｅｒｆａｃｅ）等により、受信したＷｅｂフォームからの情報を処理し、セッション管理手段１２によって携帯電話３から送られた接続先情報を基に先ず携帯電話３に発呼し、携帯電話３との呼接続を確認して相手の通話先のＩＰ電話機４を呼出し双方の電話を接続する。接続が確認されたら課金管理手段１８によって課金を開始する（Ｓ１６）。呼接続の情報はスケジュール管理手段１７にも渡され累積通話期間や使用期間を管理する。
通話に使用される各通話網６、７の音声情報は、音声変換中継手段１３を介して相互に引き渡される。
管理センターは、セッション管理手段１２によって携帯電話３かＩＰ電話機４のどちらかの呼切断要求を検出し、それぞれの呼を切断して課金管理手段１８により課金を終了する（Ｓ１７）。
【００２５】
【発明の効果】
以上説明したように、本発明によれば、携帯電話からの要求に応えて通話先のＩＰ電話機と携帯電話とを呼制御により接続する管理センターに対し、携帯電話の利用を希望する法人・団体のクライアント端末からＷｅｂを介して利用に必要な各種手続きを行うことが可能なことから通話先の更新・維持が容易になる。また、携帯電話は管理センターから送られた電子メールに記載されたＵＲＬリンクによって管理センターに携帯電話自身の情報を送信することからＵＲＬアドレスをキー入力しなくてすみ、管理センターはＵＲＬリンク情報から接続する携帯電話を特定することができる。管理センターは携帯電話からのリクエストに応えて通話先への接続情報を含む電話帳を掲載したＷｅｂページをこの携帯電話に送信し、携帯電話から送られてきた通話先への接続情報に基づき携帯電話と通話先のＩＰ電話機とをコールバックにより接続することで通話に伴う課金情報を管理するので、法人の社員や団体の職員に携帯電話を利用させる際に、私用と公用の区別が可能になるという効果が期待できる。
【図面の簡単な説明】
【図１】本発明の実施の形態に係る通話システムの概略構成を示す図である。
【図２】図１に示す通話システムの構成図である。
【図３】図１に示す通話システムにおける全体の処理手順を示すフロー図である。
【図４】図１に示すシステムにおける電子メールのＵＲＬリンク情報の説明図である。
【図５】図１に示す携帯電話の電話帳画面を示した一例である。
【図６】図５に示す発信メニューにおけるＨＴＭＬ文の説明図である。
【符号の説明】
１    管理センター
２    クライアント端末
３    携帯電話
４    ＩＰ電話機
５    インターネット
６    携帯電話網
７    ＩＰネットワーク
８    Ｗｅｂサーバ
９    メールサーバ
１０    メール送信手段
１１    フォーム生成手段
１２    セッション管理手段
１３    音声変換中継手段
１４    クライアント管理手段
１５    ユーザ管理手段
１６    電話帳管理手段
１７    スケジュール管理手段
１８    課金管理手段
１９    データベースサーバ
２０    データベース
【図１】
2004356907.tif 000003
【図２】
2004356907.tif 000004
【図３】
2004356907.tif 000005
【図４】
2004356907.tif 000006
【図５】
2004356907.tif 000007
【図６】
2004356907.tif 000008